(57)【要約】【課題】装置の小型化および低コスト化を図ることができ、かつ、精度よく焦点調節ができる。【解決手段】被写体の光学像の結像を行う光学系を合焦位置へと制御するオートフォーカス機能を備えた撮像装置であって、この撮像装置の信号処理回路は、水平方向の処理信号に対して処理を行うハイパスフィルタ５３１ａと、垂直方向の処理信号に対して処理を行うハイパスフィルタ５３１ｂと、入力される信号に対して絶対値化処理を施す絶対値化部５３２ａ、５３２ｂと、入力される信号に対してノイズ除去処理および設定閾値によるリミッタ処理を施すノイズコアリング部５３３ａ、５３３ｂと、入力される信号に対して補正係数による補正処理および加算処理を施す補正／加算処理部５３４とを備えたＡＦ演算処理部５３ｂを有する。【選択図】図５
2007094236.tif 000002
【特許請求の範囲】
【請求項１】
被写体の光学像の結像を行う光学系を合焦位置へと制御するオートフォーカス機能を備えた撮像装置において、
前記被写体の撮像信号から任意の一方向（以下、Ｘ方向という）および前記一方向に直交する方向（以下、Ｙ方向という）の周波数成分を別個に抽出する抽出手段と、
前記抽出手段により抽出された前記各周波数成分に対してそれぞれ補正係数による補正処理を施す補正手段と、
前記補正処理が施された前記Ｘ方向の周波数成分信号と前記Ｙ方向の周波数成分信号とを加算する加算手段と、
前記加算手段による加算出力に基づいて、前記オートフォーカスを行う制御手段と、
を有することを特徴とする撮像装置。
【請求項２】
前記抽出手段は、前記Ｘ方向および前記Ｙ方向の周波数成分をそれぞれ抽出する２つの一次元ハイパスフィルタで構成されていることを特徴とする請求項１記載の撮像装置。
【請求項３】
前記撮像信号から輝度信号および色差信号で構成される映像信号を生成する映像信号生成部と、前記映像信号の解像度を変換する解像度変換部と、前記解像度変換部で変換する際に用いる前記撮像信号をライン単位でバッファリングするラインメモリとをさらに備え、
前記抽出手段は、前記各周波数成分を前記ラインメモリから抽出することを特徴とする請求項１記載の撮像装置。
【請求項４】
前記補正係数は、抽出した前記各周波数成分の重みを調整する係数であることを特徴とする請求項１記載の撮像装置。
【請求項５】
前記補正手段は、前記Ｘ方向または前記Ｙ方向のいずれか一方向の前記補正係数から他方向の前記補正係数を演算する補正係数演算部を有することを特徴とする請求項１記載の撮像装置。
【請求項６】
被写体の光学像の結像を行う光学系を合焦位置へと制御するオートフォーカスを行う撮像方法において、
前記被写体の撮像信号から任意の一方向（以下、Ｘ方向という）および前記一方向に直交する方向（以下、Ｙ方向という）の周波数成分を別個に抽出し、
抽出された前記各周波数成分に対してそれぞれ補正係数による補正処理を施し、
前記補正処理が施された前記Ｘ方向の周波数成分信号と前記Ｙ方向の周波数成分信号とを加算し、
前記加算に基づいて、前記オートフォーカスを行う、
ことを特徴とする撮像方法。
【発明の詳細な説明】
【技術分野】
【０００１】
本発明は撮像装置および撮像方法に関し、特にオートフォーカスを行う撮像装置および撮像方法に関する。
【背景技術】
【０００２】
近年、デジタルビデオカメラやデジタルスチルカメラに代表される撮像機器の普及は目覚しく、これらのイメージングデバイス（撮像素子）を搭載した機器において、オートフォーカス（自動焦点調節）機能は必須のものとなっている。上記のような撮像機器においては、焦点調節用の専用の光学部材を必要としないコントラスト検出方式によるオートフォーカスが一般的に用いられている。
【０００３】
コントラスト検出方式は、撮像素子から得られる映像信号中の高周波成分を抽出し、該高周波成分の評価値を最大となるようにレンズを駆動して焦点調節を行う方式であり、いわゆる山登り方式として知られている。
【０００４】
この高周波成分の抽出においては、水平順次走査方向にのみ一次元のバンドパスフィルタ（帯域通過フィルタ）を用いる方式や、ＦＦＴ（高速フーリエ変換）やＤＣＴ（離散コサイン変換）、アダマール変換に代表される二次元の直交変換フィルタを用いる方式等が一般に知られている。
【０００５】
しかし、水平順次走査方向にのみ一次元フィルタを用いる方式では、垂直方向に強い高周波成分を持つ被写体に対しては、誤検出を起こし、フォーカスが上手く合わないという問題点がある。また、二次元直交変換フィルタを用いた方式では、専用の二次元直交変換器と映像信号をライン単位で蓄積するためのメモリとを必要とするため、機器の大型化および高価格化に繋がるという問題点がある。
【０００６】
そこで、高周波数成分の抽出を行う部位を、画像符号化部の二次元直交変換器（ＤＣＴ）と共用することにより回路構成の簡略化を図る例が開示されている（例えば、特許文献１参照）。また、被写体の一次元画像に対し直交変換を施すことにより、周波数成分の最適化と回路構成の簡略化を図る例が開示されている（例えば、特許文献２参照）。
【特許文献１】特開平３−２１４８６８号公報
【特許文献２】特開平１０−１７０８１１号公報
【発明の開示】
【発明が解決しようとする課題】
【０００７】
しかしながら、従来の技術には以下のような問題があった。
例えば特許文献１では、高周波数成分の抽出を行う部位を画像符号化部と共用した場合、周波数特性を画像符号化部に合わせる必要がありオートフォーカス用としては最適化できず、また、撮像部と符号化部との連携や同期制御が複雑化するという問題点があった。更に、映像をブロック単位に分割して変換処理を施すため、ブロック境界線上にコントラストが存在する場合は、これを検出することが難しいという問題点があった。
【０００８】
また、特許文献２では、垂直方向に強い高周波成分を持つ被写体に対しては、誤検出を起こしフォーカスが上手く合わない可能性が高いという問題点があった。
本発明は、このような点に鑑みてなされたものであり、装置の小型化および低コスト化を図ることができ、かつ、精度よく焦点調節ができる撮像装置および撮像方法を提供することを目的とする。
【課題を解決するための手段】
【０００９】
本発明では上記問題を解決するために、被写体の光学像の結像を行う光学系を合焦位置へと制御するオートフォーカス機能を備えた撮像装置において、前記被写体の撮像信号から任意の一方向（以下、Ｘ方向という）および前記一方向に直交する方向（以下、Ｙ方向という）の周波数成分を別個に抽出する抽出手段と、前記抽出手段により抽出された前記各周波数成分に対してそれぞれ補正係数による補正処理を施す補正手段と、前記補正処理が施された前記Ｘ方向の周波数成分信号と前記Ｙ方向の周波数成分信号とを加算する加算手段と、前記加算手段による加算出力に基づいて、前記オートフォーカスを行う制御手段とを有することを特徴とする撮像装置が提供される。
【００１０】
このような撮像装置によれば、抽出手段によりＸ方向の周波数成分とＹ方向の周波数成分とが別個に抽出され、補正手段により補正係数による補正処理が施され、加算手段によりＸ方向の周波数成分信号とＹ方向の周波数成分信号とが加算されることにより、Ｘ方向とＹ方向の両方向の周波数成分を含むオートフォーカスが行われる。
【発明の効果】
【００１１】
本発明によれば、Ｘ方向の周波数成分とＹ方向の周波数成分とを別個に抽出することで、Ｘ方向およびＹ方向のいずれの方向に高周波成分を持つ被写体に対しても焦点調節を行うことができる。
【００１２】
特に、抽出した各周波数成分におけるＸ方向とＹ方向との比率を調節することで、精度良く焦点調節を行うことができ、撮像被写体の好適な映像信号（画像）を生成することができる。
【００１３】
また、専用の二次元直交変換器やメモリ等を必要としないため、装置の小型化、軽量化、および低コスト化を図ることができる。
【発明を実施するための最良の形態】
【００１４】
以下、本発明の実施の形態を図面を参照して詳細に説明する。
図１は、撮像装置の要部構成を示すブロック図である。
図１に示す撮像装置１は、光学ブロック２、ドライバ２ａ、駆動部２ｂ、イメージセンサ３、タイミング発生回路（ＴＧ）３ａ、アナログフロントエンド（ＡＦＥ）回路４、信号処理回路５、システムコントローラ６、および操作部７を具備する。
【００１５】
光学ブロック２は、光源からの入射光および被写体からの光（反射光）をイメージセンサ３に集光するためのレンズ、レンズを移動させてフォーカス合わせやズーミングを行うための駆動機構、シャッタ機構、被写体照度に応じて絞りを調節し、レンズを通過した光の量（光量）、すなわち露出を決定するアイリス機構などを具備している。
【００１６】
ドライバ２ａは、システムコントローラ６からの制御信号に基づいて、絞り駆動等、光学ブロック２内の各機構の駆動を制御する駆動信号を出力する。
駆動部２ｂは、ドライバ２ａからの駆動信号を受けて、光学ブロック２の駆動機構を駆動する。
【００１７】
イメージセンサ３は、光電変換素子であるフォトダイオードがマトリクス（行列）状に配列された固体撮像素子であり、ＴＧ３ａから出力されるタイミング信号に基づいて駆動され、被写体からの入射光を電気信号に変換する。ＴＧ３ａは、システムコントローラ６の制御の下で電子シャッタを制御するタイミング信号を出力する。なお、イメージセンサとしては特に限定されないが、例えば、ＣＣＤ（Charged Coupled Device）や、ＣＭＯＳ（Complementary Metal Oxide Semiconductor）等が挙げられる。
【００１８】
ＡＦＥ回路４は保持・利得制御回路４１およびＡ／Ｄ変換回路（Ａ／Ｄ）４２を有している。ＡＦＥ回路４は、例えば１つのＩＣ（Integrated Circuit）として構成され、イメージセンサ３から出力された画像信号に対して、保持・利得制御回路４１がＣＤＳ（Correlated Double Sampling）処理によりＳ／Ｎ（Signal／Noise）比を良好に保つようにサンプルホールドを行い、さらにＡＧＣ（Auto Gain Control）処理により利得（ゲイン）を制御する。また、Ａ／Ｄ変換回路４２がＡ／Ｄ変換を行いデジタル画像信号を出力する。なお、ＣＤＳ処理を行う回路は、イメージセンサ３と同一基板上に形成されてもよい。
【００１９】
信号処理回路５は、ＡＦＥ回路４にてデジタル信号に変換された被写体撮像信号に対し、システムコントローラ６からの制御信号に従い、ＡＦＥ回路４からの画像信号に対するＡＦ（Auto Focus：自動焦点）、ＡＥ（Automatic Exposure：自動露出）、ＡＷＢ（Auto White Balance：オートホワイトバランス）等の各種カメラ制御処理、またはその処理の一部を実行し、被写体の映像信号（輝度信号（Ｙ）および色差信号（Ｒ−Ｙ、Ｂ−Ｙ））を生成する。
【００２０】
信号処理回路５は、水平・垂直方向の同期信号や各種タイミング信号を生成する同期信号生成部５１と、システムコントローラ６からの制御信号により制御処理を施し被写体映像信号を生成するカメラ信号処理部５２と、被写体映像信号に対し前述した制御処理を施すための各種演算処理を行う制御演算処理部５３と、被写体映像信号に対し解像度の変換や歪みの補正処理等を行う解像度変換部５４とを有している。
【００２１】
図２は、カメラ信号処理部の構成を示すブロック図である。
カメラ信号処理部５２は、ＡＦＥ回路４からの被写体撮像信号に各種補正処理を施すカメラ信号前処理部５２ａと、補正処理を施された被写体撮像信号をライン単位で蓄積するラインメモリ５２ｂと、ラインメモリ５２ｂから出力される信号の後処理を行うカメラ信号後処理部５２ｃとを有している。
【００２２】
カメラ信号前処理部５２ａは、同期信号生成部５１からの各種同期信号を用いて、被写体撮像信号に、撮像素子に起因する欠陥画素の補正やレンズに起因する明るさの不均一性（シェーディング）の補正、ノイズ除去等の各種補正処理を施す。
【００２３】
ラインメモリ５２ｂは、例えば、イメージセンサ３を１個のみ使用の単板撮像システムにおいては、撮像素子のカラーコーディング（補色市松方式、または原色ベイヤ方式）に応じた補間処理を行う。また、イメージセンサ３を３個使用の３板撮像システムにおいては、解像度向上を目的とした画素ずらしシステムに対応した補間処理を行う。
【００２４】
カメラ信号後処理部５２ｃは、補正および補間処理の施された被写体撮像信号から輝度信号（Ｙ）および色差信号（Ｒ−Ｙ、Ｂ−Ｙ）からなる被写体映像信号を生成する。
図３は、制御演算処理部を示すブロック図である。
【００２５】
制御演算処理部５３は、システムコントローラ６からの設定信号に基づいて各種演算処理を行い、演算結果をシステムコントローラ６に出力する部位であり、制御演算前処理部５３ａと、ＡＦ演算処理部５３ｂと、ＡＥ演算処理部５３ｃと、ＡＷＢ演算処理部５３ｄとを有している。
【００２６】
制御演算前処理部５３ａは、同期信号生成部５１からの各種同期信号を用いてＡＦ演算処理部５３ｂ、ＡＥ演算処理部５３ｃ、ＡＷＢ演算処理部５３ｄへの入力信号と水平・垂直方向のアドレスカウンターおよび制御対象領域内の有効・無効を示すタイミング信号の生成を行う。また、制御演算前処理部５３ａは、同期信号生成部５１からの各種同期信号を用いて被写体撮像信号を、輝度信号等の被写体映像信号に変換する。
【００２７】
ＡＦ演算処理部５３ｂは、被写体までの距離に応じて自動的にレンズを駆動制御するＡＦ処理（自動測距処理）のための各種演算処理を行う。
ＡＥ演算処理部５３ｃは、被写体照度に応じてシャッタースピードや絞り値を算出し自動的に露出条件を決定するＡＥ処理（自動測光処理）のための各種演算処理を行う。
【００２８】
ＡＷＢ演算処理部５３ｄは、被写体または光源の色温度を測定し、各色（Ｒ、Ｇ、Ｂ）に対するゲインを決定し最適な色再現処理を自動的に行うＡＷＢ処理（自動測色処理）のための各種演算処理を行う。
【００２９】
再び図１に戻って説明する。
システムコントローラ６は、例えば、ＣＰＵ（Central Processing Unit）、ＲＯＭ（Read Only Memory）、ＲＡＭ（Random Access Memory）などから構成されるマイクロコントローラであり、前述した演算結果に基づいて、ＲＯＭ等に記憶されたプログラムを実行することにより、光学ブロック２、イメージセンサ３、ＡＦＥ回路４、信号処理回路５等、撮像装置１の各部を統括的に制御することにより、ＡＦ、ＡＥ、ＡＷＢの自動制御処理を行い、撮像被写体の好適な映像信号の生成を行う。
【００３０】
操作部７は、例えばシャッタレリーズボタンなどの各種操作キーやレバー、ダイヤルなどを有しており、ユーザによる入力操作に応じた制御信号をシステムコントローラ６に出力する。
【００３１】
この撮像装置１では、イメージセンサ３によって受光されて光電変換された信号が、順次ＡＦＥ回路４に供給され、ＣＤＳ処理やＡＧＣ処理が施された後、デジタル信号に変換される。信号処理回路５は、ＡＦＥ回路４から供給されたデジタル画像信号を輝度信号（Ｙ）と色差信号（Ｒ−Ｙ、Ｂ−Ｙ）に変換し、最終的に画質補正処理して出力する。
【００３２】
信号処理回路５から出力された映像信号は、解像度変換部５４において解像度変換等が施された後、さらに図示しないディスプレイに表示するため表示信号に変換される。これにより、撮像画像がディスプレイに表示される。また、操作部７からのユーザの入力操作などによりシステムコントローラ６に対して画像の記録が指示されると、信号処理回路５からの画像データは図示しないエンコーダに供給され、所定の圧縮符号化処理が施されて図示しない記録媒体に記録される。静止画像の記録の際には、信号処理回路５からは１フレーム分の画像データがエンコーダに供給され、動画像の記録の際には、処理された画像データがエンコーダに連続的に供給される。
【００３３】
次に、撮像装置１のオートフォーカスの原理について説明する。
図４は、所定単位時間における映像信号を、水平および垂直方向座標からなる画像空間と信号レベルで３次元空間に模式的に示した図である。
【００３４】
前述したように、コントラスト検出方式によるオートフォーカスは、撮像被写体の映像信号から抽出した高周波成分より評価値を生成し、これを最大となるようにレンズを制御駆動して焦点調節を行う方法であるが、被写体映像信号中の高周波成分は、水平方向または垂直方向の一方向のみに分布することは稀であり、むしろ図４に示すように水平垂直両方向の成分を持つ場合が一般的である。高周波成分を抽出するということは、図４のそれぞれ直交する水平方向Ｘ軸、垂直方向Ｙ軸、信号レベルＺ軸において、Ｘ軸上の点Ａ、Ｙ軸上の点Ｂ、Ｚ軸上の点Ｃから形成される４面体の、原点から直線ＡＢへの垂線Ｄと、その交点および点Ｃのなす直線Ｅとの傾きαを求めることと等価であり、この傾きαは次式（１）で与えられる。
【００３５】
【数１】
2007094236.tif 000003
【００３６】
しかしながら、式（１）で表される演算を装置を用いて実現するには、回路規模の増大および高コスト化を招く。
そこで本実施の形態では、式（１）を式（２）に示すように簡略化し、この式（２）を高周波成分の抽出に用いる。
【００３７】
α１＝ａ｜ｘ’｜＋ｂ｜ｙ’｜・・・（２）（但し、ａ＋ｂ＝１（ａ≧０、ｂ≧０））
なお、式（２）において、ａ、ｂは水平方向補正係数および垂直方向補正係数であり、正規化のため但し書きの関係を満たすものとする。また、ｘ’、ｙ’は、それぞれ、水平および垂直方向の一次元のハイパスフィルタ処理を施した出力信号である。
【００３８】
ここで、水平方向補正係数ａが１に近づく程（垂直方向補正係数ｂが０に近づく程）、水平方向での高周波成分の検出精度が高まり、垂直方向補正係数ｂが１に近づく程（水平方向補正係数ａが０に近づく程）、垂直方向での高周波成分の検出精度が高まる。
【００３９】
次に、このオートフォーカス方法を実現するＡＦ演算処理部５３ｂについて説明する。
図５は、ＡＦ演算処理部の構成を示すブロック図である。
ＡＦ演算処理部５３ｂは、水平方向の処理信号に対して処理を行うハイパスフィルタ５３１ａと、垂直方向の処理信号に対して処理を行うハイパスフィルタ５３１ｂと、入力される信号に対して絶対値化処理を施す絶対値化部５３２ａ、５３２ｂと、入力される信号に対してノイズ除去処理および設定閾値によるリミッタ処理を施すノイズコアリング部５３３ａ、５３３ｂと、入力される信号に対して補正係数による補正処理および加算処理を施す補正／加算処理部５３４と、水平方向画素数単位に最大値（ピーク値）を検出するラインピーク検出部５３５と、ラインピーク検出部５３５からの最大値が入力されると、画面全体に積分処理を施すライン積分部５３６と、ラインピーク検出部５３５からの最大値が入力されると、画面全体での最大値（ピーク値）の算出処理を行う画面ピーク検出部５３７とを有している。なお、ハイパスフィルタ５３１ａ、５３１ｂが本実施の形態の抽出手段の主要部を構成している。
【００４０】
図６は、補正／加算処理部を示すブロック図である。
補正／加算処理部５３４は、ノイズコアリング部５３３ａより入力された水平方向映像信号およびシステムコントローラ６から得られる水平方向補正係数ａの乗算処理を施す乗算部５３４ａと、ノイズコアリング部５３３ｂより入力された垂直方向映像信号およびシステムコントローラ６から得られる垂直方向補正係数ｂの乗算処理を施す乗算部５３４ｂと、乗算処理を施された水平方向信号および垂直方向信号の加算処理を施す加算部５３４ｃと、加算結果に対し、例えば、四捨五入等の丸め処理を施す丸め処理部５３４ｄと、丸め結果に対し、丸め処理により生じるオーバーフロー等に対するリミット処理を施すリミッタ処理部５３４ｅとを有している。
【００４１】
なお、乗算部５３４ａおよび乗算部５３４ｂは、それぞれ例えば、乗算器により構成することができるが、補正係数が、１／２、１／４、１／８、１／１６、・・・と２−ｎ倍（ｎ≧０）すなわち２の乗数のみである場合は、シフタのみにより構成することができる。これにより回路構成を簡易なものとすることができる。
【００４２】
次に、撮像装置１の動作について説明する。
まず、カメラ信号前処理部５２ａにより、各種補正処理を施された被写体撮像信号は、ラインメモリ５２ｂを通じて複数ライン並列して制御演算前処理部５３ａに入力される。入力された被写体撮像信号は、制御演算前処理部５３ａにて同期信号生成部５１からの各種同期信号を用いて輝度信号等の被写体映像信号に変換され、ＡＦ演算処理部５３ｂに入力される。
【００４３】
ＡＦ演算処理部５３ｂでは、入力された映像信号に対し、ハイパスフィルタ５３１ａ、５３１ｂにより、水平および垂直のそれぞれの方向に一次元のフィルタ処理が施され、撮像被写体の高周波成分の抽出が行われる。抽出された高周波成分は、それぞれ絶対値化部５３２ａ、５３２ｂにより絶対値化処理が施され、ノイズコアリング部５３３ａ、５３３ｂにより、それぞれ微小振幅のノイズ除去処理と設定閾値によるリミッタ処理が施される。ノイズ除去された水平方向信号および垂直方向信号は、補正／加算処理部５３４により補正係数による補正処理および加算処理が施され、撮像被写体の３次元空間における高周波成分として、ラインピーク検出部５３５に入力される。
【００４４】
その後、ラインピーク検出部５３５により、入力信号に対し、水平方向画素数単位に最大値（ピーク値）が検出される。次に、ライン積分部５３６により、該最大値を入力として画面全体に積分処理が施され、ライン積分値の算出処理が行われる。また、画面ピーク検出部５３７により、最大値を入力とし、画面全体での最大値（ピーク値）の算出処理が行われる。算出されたライン積分値並びに画面ピーク値は、ＡＦ演算処理部５３ｂでの評価値として、システムコントローラ６に出力される。そして、システムコントローラ６により、評価値に基づいて、評価値が最大となるようにドライバ２ａが制御される。その後、ドライバ２ａにより光学ブロック２内の各機構の駆動を制御する駆動信号が出力され、駆動部２ｂにより、レンズの移動が行われ、被写体の焦点距離および焦点位置が決定される。
【００４５】
以上述べたように、撮像装置１によれば、ハイパスフィルタ５３１ａ、５３１ｂを用いて水平および垂直のそれぞれの方向に一次元のフィルタ処理を施すことにより、回路構成を大型化することなく撮像被写体の水平および垂直方向いずれの高周波成分も容易に抽出することができる。
【００４６】
また、システムコントローラ６が、水平方向補正係数ａおよび垂直方向補正係数ｂの比率を任意に設定することにより、垂直方向に強い高周波成分を持つ被写体に対しても精度良く焦点調節を行うことができる。これにより、自動焦点調節機能の向上を実現することができる。その結果、撮像被写体の好適な映像信号を生成することができる。
【００４７】
また、ハイパスフィルタ５３１ａ、５３１ｂの高周波成分の抽出に際し、ラインメモリ５２ｂから必要な情報を取得することができるため、専用の二次元直交変換器を用いた場合等に必要となる専用メモリが不要となり、撮像装置１の小型化、軽量化および低コスト化を実現することができる。
【００４８】
次に、撮像装置の第２の実施の形態について説明する。
図７は、第２の実施の形態の撮像装置の補正／加算処理部を示すブロック図である。
以下、第２の実施の形態の撮像装置について、前述した第１の実施の形態の撮像装置１との相違点を中心に説明し、同様の事項については、その説明を省略する。
【００４９】
第２の実施の形態の撮像装置は、補正／加算処理部の構成が異なり、それ以外は第１の実施の形態と同様である。
第２の実施の形態の補正／加算処理部５３４βは、補正係数を算出する補正係数算出部５３４ｆを有している。
【００５０】
補正係数算出部５３４ｆは、垂直方向補正係数ｂに基づいて、前述したａ＋ｂ＝１を満たすように自動的に水平方向補正係数ａの算出を行う。
この第２の実施の形態の撮像装置によれば、第１の実施の形態の撮像装置１と同様の効果が得られる。
【００５１】
そして、第２の実施の形態の撮像装置によれば、補正係数算出部５３４ｆが、システムコントローラ６より設定された垂直方向補正係数ｂに基づいて、水平方向補正係数ａの算出を行うため、システムコントローラ６による演算負荷およびシステムコントローラ６と制御演算処理部５３との間の通信負荷を軽減することができる。
【００５２】
また、本実施の形態では、垂直方向補正係数ｂに基づいて水平方向補正係数ａを算出したが、水平方向補正係数ａに基づいて、垂直方向補正係数ｂを算出してもよい。
以上、本発明の撮像装置を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
【００５３】
また、本発明は、前述した各実施の形態のうちの、任意の２以上の構成（特徴）を組み合わせたものであってもよい。
なお、前述した各実施の形態では、システムコントローラ６が補正係数を設定したが、これに限らず、例えば、乗算部５３４ａ、５３４ｂや、補正係数算出部５３４ｆに補正係数を予め設定しておいてもよい。
【００５４】
また、前述した各実施の形態においては、信号処理回路５は集積回路（ハードウェア）で構成される例を示したが、前述した構成の全て、またはその一部を、コンピュータ等を利用してソフトウェア的に実現するようにしてもよい。
【００５５】
また、本発明の撮像装置は、デジタルビデオカメラ、デジタルスチルカメラ等の静止画像または動画像の撮像装置等に適用することができる。
【図面の簡単な説明】
【００５６】
【図１】撮像装置の要部構成を示すブロック図である。
【図２】カメラ信号処理部の構成を示すブロック図である。
【図３】制御演算処理部を示すブロック図である。
【図４】所定単位時間における映像信号を、水平および垂直方向座標からなる画像空間と信号レベルで３次元空間に模式的に示した図である。
【図５】ＡＦ演算処理部の構成を示すブロック図である。
【図６】補正／加算処理部を示すブロック図である。
【図７】第２の実施の形態の撮像装置の補正／加算処理部を示すブロック図である。
【符号の説明】
【００５７】
１・・・撮像装置、６・・・システムコントローラ、５３１ａ、５３１ｂ・・・ハイパスフィルタ、５３４・・・補正／加算処理部、５３４ｆ・・・補正係数算出部
【図１】
2007094236.tif 000004
【図２】
2007094236.tif 000005
【図３】
2007094236.tif 000006
【図４】
2007094236.tif 000007
【図５】
2007094236.tif 000008
【図６】
2007094236.tif 000009
【図７】
2007094236.tif 000010